(57)【特許請求の範囲】
【請求項１】
胴部２の上端部に環状突部３を周設し、かつ頂壁４中央部を貫設させて噴出用ステム５を上方付勢状態で起立するエアゾール缶１と、
上記環状突部３へ下部を嵌着させたカバー部材６と、
上記噴出用ステム５上端へ嵌合させたステム嵌合筒１１を頂板１２中央部から垂設し、かつ該ステム嵌合筒１１前面から頂板１２の一部を上壁とする射出筒１３を前方突設して、該射出筒前部からトリガー１５を垂設すると共に、頂板後部を上記カバー部材６後部に揺動軸１８、２６または薄肉ヒンジ２８を介して前後方向へ揺動自在に連結させたトリガー付き噴霧部材１０と、
上記カバー部材６の下部前面から破断可能な薄肉片を介して突設した、トリガー１５、３１下部後面へ接触するトリガー引寄せ防止板２０とを有するエアゾール式噴霧器において、
上記トリガーの上部後面から係合板３２を後方突設すると共に、上記カバー部材６の上方前部に、係合板が小ストロークだけ上下動自在な切欠き部３３を形成して係合板３２を切欠き部３３上面へ係合させたことを特徴とするエアゾール式噴霧器。
【請求項２】
胴部２の上端部に環状突部３を周設し、かつ頂壁４中央部を貫設させて噴出用ステム５を上方付勢状態で起立するエアゾール缶１と、上記環状突部３へ嵌着させた周壁上端に、上記噴出用ステム５を囲成する内向きフランジ状頂壁３６を付設すると共に、該頂壁後部から支持板３７を後方突設して、該支持板の後部上端から弾性変形自在な第１板バネ３８を起立した基部材３５と、上記内向きフランジ状頂壁３６内周面へ遊嵌させて噴出用ステム５上端へ嵌合させたステム嵌合筒１１を頂板１２中央部から垂設すると共に、頂板の左右両側からカバー壁１２ａを垂下して、両カバー壁後部を上記支持板後部に揺動軸３９を介して前後方向へ揺動自在に連結し、又ステム嵌合筒前面から頂板１２の一部を上壁とする射出筒１３を前方突設して、該射出筒前部および両カバー壁１２ａ前面からトリガー１５を垂設し、更に頂板１２の後部下面から弾性変形自在な第２板バネ４０を垂設して、該バネ下部を上記第１板バネの上部後面へ係合させたトリガー付き噴霧部材１０と、上記基部材３５の内向きフランジ状頂壁３６前部から破断可能な薄肉片を介して突設した、上記カバー壁１２ａの前部下端へ接触するトリガー引寄せ防止板４２とを有することを特徴とするエアゾール式噴霧器。
【請求項３】
上記トリガー付き噴霧部材１０は、トリガー１５引き寄せ時に、両カバー壁１２ａの中間部下端を内向きフランジ状頂壁３６の中央部上面へ当接自在に形成したことを特徴とする請求項２記載のエアゾール式噴霧器。
【発明の詳細な説明】
【０００１】
【発明の属する技術分野】
本発明はトリガー操作によって噴霧させることが可能なエアゾール式噴霧器に関する。
【０００２】
【従来の技術】
エアゾール式噴霧器としては、胴部の頂壁中央部を貫設させて噴出用ステムを上方付勢状態で起立し、かつ該噴出用ステム上部へノズル孔付きの押下げヘッドを嵌合させたものが一般で、押下げヘッドを押し下げるとノズル孔から泡等が噴出するようになっている。
【０００３】
【発明が解決しようとする課題】
上記のようなエアゾール式噴霧器では、片手で噴霧操作を行う場合に、押下げヘッドが押下げにくいという問題があった。
本発明は、トリガーを設けることにより、エアゾール式噴霧器の片手操作を容易にしようとするものである。
【０００４】
【課題を解決するための手段】
第１の手段として、胴部２の上端部に環状突部３を周設し、かつ頂壁４中央部を貫設させて噴出用ステム５を上方付勢状態で起立するエアゾール缶１と、
上記環状突部３へ下部を嵌着させたカバー部材６と、
上記噴出用ステム５上端へ嵌合させたステム嵌合筒１１を頂板１２中央部から垂設し、かつ該ステム嵌合筒１１前面から頂板１２の一部を上壁とする射出筒１３を前方突設して、該射出筒前部からトリガー１５を垂設すると共に、頂板後部を上記カバー部材６後部に揺動軸１８、２６または薄肉ヒンジ２８を介して前後方向へ揺動自在に連結させたトリガー付き噴霧部材１０と、
上記カバー部材６の下部前面から破断可能な薄肉片を介して突設した、トリガー１５、３１下部後面へ接触するトリガー引寄せ防止板２０とを有するエアゾール式噴霧器において、
上記トリガーの上部後面から係合板３２を後方突設すると共に、上記カバー部材６の上方前部に、係合板が小ストロークだけ上下動自在な切欠き部３３を形成して係合板３２を切欠き部３３上面へ係合させている。
【０００６】
第２の手段として、胴部２の上端部に環状突部３を周設し、かつ頂壁４中央部を貫設させて噴出用ステム５を上方付勢状態で起立するエアゾール缶１と、上記環状突部３へ嵌着させた周壁上端に、上記噴出用ステム５を囲成する内向きフランジ状頂壁３６を付設すると共に、該頂壁後部から支持板３７を後方突設して、該支持板の後部上端から弾性変形自在な第１板バネ３８を起立した基部材３５と、上記内向きフランジ状頂壁３６内周面へ遊嵌させて噴出用ステム５上端へ嵌合させたステム嵌合筒１１を頂板１２中央部から垂設すると共に、頂板の左右両側からカバー壁１２ａを垂下して、両カバー壁後部を上記支持板後部に揺動軸３９を介して前後方向へ揺動自在に連結し、又ステム嵌合筒前面から頂板１２の一部を上壁とする射出筒１３を前方突設して、該射出筒前部および両カバー壁１２ａ前面からトリガー１５を垂設し、更に頂板１２の後部下面から弾性変形自在な第２板バネ４０を垂設して、該バネ下部を上記第１板バネの上部後面へ係合させたトリガー付き噴霧部材１０と、上記基部材３５の内向きフランジ状頂壁３６前部から破断可能な薄肉片を介して突設した、上記カバー壁１２ａの前部下端へ接触するトリガー引寄せ防止板４２とを有する。
【０００７】
第３の手段として、第２の手段を有すると共に、上記トリガー付き噴霧部材１０は、トリガー１５引き寄せ時に、両カバー壁１２ａの中間部下端を内向きフランジ状頂壁３６の中央部上面へ当接自在に形成した。
【０００８】
【発明の実施の形態】
以下、本発明に係るエアゾール式噴霧器の実施形態を図面を参照しながら説明する。
第１実施形態
図１乃至図４は第１の実施形態を示す。
１はエアゾール缶で、胴部２の上端部に環状突部３を周設すると共に、頂壁４中央部を貫設させて噴出用ステム５を上方付勢状態で起立する。
【０００９】
６はカバー部材で、環状突部３へ嵌着させた周壁７上面を閉塞する頂壁に、前後方向への開口部を形成して、該開口部から噴出用ステム５を突出させると共に、開口部の左右両部から側壁８を起立して、両側壁間上面を縦断面逆向きＵ字形状の頂板で閉塞する。
【００１０】
１０はトリガー付き噴霧部材で、噴出用ステム５上端へ嵌合させたステム嵌合筒１１を、前後方向へ細長の頂板１２中央部から垂設し、かつ該ステム嵌合筒１１の上端部前面から頂板１２の前半部を上壁とする射出筒１３を前方突設すると共に、頂板１２の左右両側からカバー壁１２ａを垂下する。そして、射出筒１３の前端から前方突設した支持板部１４および両カバー壁１２ａの前面からトリガー１５を垂設する。一方、頂板１２後半部の後部は、前後二重壁からなる垂下部１６を形成すると共に、該垂下部の下端部に後面開口の切欠き部１７を形成し、さらに、該切欠き部を、２つの側壁８の下方後部間に横架した揺動軸１８に回動自在に嵌合させている。
【００１１】
２０はトリガー引寄せ防止板で、周壁７の前部上端から破断可能な薄肉片を介して左右方向に長い板体を２つの側壁８の下端部間に突設して、該板体をトリガー１５の下部後面へ接触させる。
なお、２１は射出筒１３の前部内面へ嵌合させたノズルである。
【００１２】
次に本実施形態の作用について説明する。
ノズル２１から泡等を噴出させるには、トリガー１５を後方へ引き寄せればよいが、図１乃至図３に示すようにトリガー引寄せ防止板２０が除去される前の状態では該防止板２０がトリガー１５後面に接触しているため、トリガー引寄せは不能である。
【００１３】
トリガー１５の後方への引寄せを可能にするためには、トリガー引寄せ防止板２０を引っ張ってカバー部材６から除去すればよい。
除去後、トリガー１５を後方へ引き寄せると、図４に示すように頂板１２が揺動軸１８を中心にして前方へ揺動し、これと共にステム嵌合筒１１が下降して噴出用ステム５を押し下げるためノズル２１から泡等が噴出する。
【００１４】
噴出後、トリガー１５から手を離すと、噴出用ステム５が上昇して頂壁１２を後方へ揺動させることにより元の位置に復帰させる。なお、頂壁１２が元の位置よりも後方へ揺動しようとしても両側壁８間の上面を閉塞する頂板に接触するため後方への過剰の揺動は防止される。
【００１５】
第２実施形態
図５乃至図８は第２の実施形態を示す。なお、同図において、図１乃至図４と同一又は相当部分については同一符号を付すことによりその説明を省略して、相異なる点について説明する。
本実施形態では、両側壁８間上面を閉塞する頂板の後部を残して他の部分は切除すると共に、残部の頂板部分の前端下面に、頂板１２の後端部近傍部分上面を係合させる。
【００１６】
また、トリガー１５は、上記支持板部１４からではなく射出筒１３から垂下する。さらに、両側壁８の後方上端部内面に下面開口の凹部からなる軸受部２５を形成すると共に、両カバー壁１２ａ後部外面から左右方向外方に揺動軸２６を突設して、該揺動軸を軸受部２５へ回動自在に嵌合させる。さらにまた、トリガー引寄せ防止板２０は、周壁７前面から破断可能な薄肉片を介して上下方向に細長の板体を突設して、該板体の上部をトリガー１５の下部後面へ接触させる。作用についても第１の実施形態とほぼ同様であるので説明を省略する。
【００１７】
第３実施形態
図９乃至図１３は第３の実施形態を示す。なお、同図において、図１乃至図４と同一又は相当部分については同一符号を付すことによりその説明を省略して、相異なる点について説明する。
本実施形態では、頂壁１２後部を、後方へ湾曲する円弧状に形成して、該円弧状部の下端を薄肉ヒンジ２８を介して周壁７後部へ連結することにより、頂壁１２、周壁７および側壁８を一体に形成すると共に、円弧状部の下部に薄肉部２９を形成する。
【００１８】
また、ノズル３０は内外二重筒で形成して、該内外筒の間隙内に射出筒１３の前端部を嵌着させると共に、ノズル３０の外筒前端部からトリガー３１を垂設する。
さらに、請求項２記載のように、トリガー３１の上部後面から係合板３２を後方突設すると共に、両側壁８の上方前部に、係合板３２が小ストロークだけ上下動自在な切欠き部３３を形成して、該切欠き部上面に係合板３２を係合させる。
【００１９】
作用についても第１の実施形態とほぼ同様であるので説明を省略するが、本実施形態では、トリガー３１を後方へ引き寄せると、頂板１２は薄肉部２９を中心として前方へ傾斜すると共に、係合板３２は切欠き部３３の下面に係合する。一方、図１３に示すように噴出後は係合板３２が切欠き部３３上面へ係合するため、頂壁１２の後方への過剰な傾斜は防止される。
【００２０】
第４実施形態
図１４乃至図１６は第４の実施形態を示す。なお、同図において、図１乃至図４と同一又は相当部分については同一符号を付すことによりその説明を省略して、相異なる点について説明する。
本実施形態では、カバー部材６を省略して基部材３５を設ける。該基部材は、環状突部３へ嵌着させた周壁７上端に、噴出用ステム５を囲成する内向きフランジ状頂壁３６を付設すると共に、該頂壁後部から支持板３７を後方突設して、該支持板の後部上端から弾性変形自在な第１板バネ３８を起立すると共に、支持板３７後端部から左右外方に揺動軸３９を突設する。
【００２１】
また、頂板１２後部は後方へ湾曲させて、該湾曲部の中間部下面から弾性変形自在な第２板バネ４０を垂設して、該バネ下部を第１板バネ３８の上部後面へ係合させると共に、カバー壁１２ａの下端部内面に下面開口の凹部からなる軸受部４１を形成して、該軸受部に揺動軸３９を回動自在に嵌合させる。
【００２２】
さらに、トリガー引寄せ防止片４２は、内向きフランジ状頂壁３６前部から破断可能な薄肉片を介して左右方向に長い板体を起立して、該板体上端をカバー壁１２ａの前端部下端に接触させる。
さらにまた、請求項４記載のように、トリガー引き寄せ時に、２つのカバー壁１２ａの中間部下端面を内向きフランジ状頂壁３６の中央部上面へ当接自在に形成する。
【００２３】
作用についても第１の実施形態とほぼ同様であるので説明を省略するが、本実施形態では、第２板バネ４０が第１板バネ３８に係合しているため、トリガー３１を後方へ引き寄せると、トリガー付き噴霧部材１０には噴出用ステム５からの付勢力に加えて第１板バネ３８からの付勢力も作用するため、噴出後におけるトリガー付き噴霧部材１０の元の位置への復帰がより迅速化される。
【００２４】
【発明の効果】
請求項１記載の発明は、トリガーを有するため、片手でエアゾール缶を持って噴霧する場合の操作が容易である。
また、トリガー引寄せ防止板を有するため、消費者の手元に届くまでの間に、或いは実際に使用するまでの間に、誤って噴霧されることがない。
【００２５】
また請求項１記載の発明は、係合板を切欠き部へ係合させたので、噴霧後、トリガーが元の位置よりも上がり過ぎることがない。
【００２６】
請求項２記載の発明は、第２板バネを第１板バネへ係合させたので、噴出後におけるトリガー付き噴霧部材の復帰動作の迅速化が可能になる。請求項３記載の発明は、トリガー引寄せ時に、カバー壁下端が内向きフランジ状頂壁へ当接可能に形成したので、噴出用ステムが過度に押し込まれることがない。
【図面の簡単な説明】
【図１】本発明に係るエアゾール式噴霧器の断面図。
【図２】同じく、側面図
【図３】同じく、正面図。
【図４】同じく、作用説明図。
【図５】第２実施形態の断面図。
【図６】同じく、側面図。
【図７】同じく、正面図。
【図８】同じく、作用説明図。
【図９】第３実施形態の断面図。
【図１０】同じく、側面図。
【図１１】同じく、平面図。
【図１２】同じく、正面図。
【図１３】同じく、作用説明図。
【図１４】第４実施形態の断面図。
【図１５】同じく、側面図。
【図１６】同じく、トリガー付き噴霧部材の側面図。
【図１７】同じく、基部材の半断面図。
【図１８】同じく、作用説明図。
【符号の説明】
１  エアゾール缶
２  胴部
３  環状突部
４  頂壁
５  噴出用ステム
６  カバー部材
１０  トリガー付き噴霧部材
１１  ステム嵌合筒
１２  頂板
１２ａ  カバー壁
１３  射出筒
１５、３１  トリガー
１８、２６、３９  揺動軸
２０、４２  トリガー引寄せ防止板
２８  薄肉ヒンジ
３５  基部材
３６  内向きフランジ状頂壁
３８  第１板バネ
４０  第２板バネ
【図１】
0003841988.tif 000002
【図２】
0003841988.tif 000003
【図３】
0003841988.tif 000004
【図４】
0003841988.tif 000005
【図５】
0003841988.tif 000006
【図６】
0003841988.tif 000007
【図７】
0003841988.tif 000008
【図８】
0003841988.tif 000009
【図９】
0003841988.tif 000010
【図１０】
0003841988.tif 000011
【図１１】
0003841988.tif 000012
【図１２】
0003841988.tif 000013
【図１３】
0003841988.tif 000014
【図１４】
0003841988.tif 000015
【図１５】
0003841988.tif 000016
【図１６】
0003841988.tif 000017
【図１７】
0003841988.tif 000018
【図１８】
0003841988.tif 000019